(57)【要約】      （修正有）【課題】断線された針金を接続する針金結束器具であって、取り扱いが容易で、短時間に対応でき、見た目にも美しく結束でき、かつ廉価に製造できるものを提供する。【解決手段】針金結束器具は掴持支柱を略Ｕ字型に成型すると共に、その先端近傍にＵ字型溝を刻設し、掴持支柱と支持支柱を交差させ、交差箇所を稼働ビスで接続形成し、掴持支柱内に貫装できる孔穴部を国設した。【選択図】図２
2011036992.tif 000002
【特許請求の範囲】
【請求項１】
掴持支柱を略Ｕ字型に成型すると共に、その先端近傍にＵ字型溝を刻設し、併
2011036992.tif 000018
つ前記掴持支柱と、前記支持支柱とを交差させ、その交差箇所を可動ビスで接続形成したことを特徴とする針金結束器具。
【請求項２】
掴持支柱内に、支持支柱を貫装できる孔穴部を刻設したものである請求項１記載の針金結束器具。
【請求項３】
2011036992.tif 000019
刻設したものである請求項１、２記載の針金結束器具。
【請求項４】
2011036992.tif 000020
形状部分に刻設し、固定ネジで固定して用いる要所カートリッジタイプにしたものである請求項１、２記載の針金結束器具。
【発明の詳細な説明】
【発明の詳細な説明】
【技術分野】
【０００１】  本発明は、針金を短時間でかつ容易に接続できる針金結束器具に関する。
【背景技術】
【０００２】  従来から針金は種々なものに用いられてきた。一番ポピュラーなものとしては電線への用途。家畜用などの各種柵としての用途。果樹園などの棚としての用途などなどがあった。針金は、われわれの生活の中で多種多様なものに使用されている。しかし、針金の使用で一番問題となることは、針金が切断してしまい、所期の配線目的が達成されなくなることであった。針金が切断した場合、切断箇所を接続する修復作業が必要になる。しかも早急で十分な強度の修復作業が要求される場合が大半である。断線した針金を結束するのに、ペンチやプライヤーを用いて結束しても、引っ張りに対する強度は極端に落ちる。
【先行技術文献】
【０００３】
【特許文献１】
【０００４】  本件出願に当たり先行技術文献を調査したが、本件出願に類似するようなものは見当たらなかった。
【非特許文献１】
【０００５】  非特許文献では、特許文献の先行技術文献と同様であった。
【発明の概要】
【発明が解決しようとする課題】
【０００６】  断線された針金を接続するには、ペンチやプライヤーなどの用具を用いても、必ずしも簡単には接続されない。再度の切断を避けるためには、十分な強度がなければならないし、結束箇所も見た目にきれいな仕上げでなければならない。しかるにこれまでは、針金を短時間で容易に、かつ強固に接続できる針金結束器具は開発されることがなく、見過されてきたのが現状である。
本発明は、このような針金切断に対応できるものがなかった器具開発の問題点に鑑みて開発したものであり、その取り扱いが容易であり、短時間に対応でき、見た目にも美しく結束でき、かつ廉価に製造できる、針金結束器具という画期的な商品を提供しようとするものである。
【課題を解決するための手段】
【０００７】  上記目的を達成するために、本発明における針金結束器具は、次のような構成としている。
【請求項１】
掴持支柱を略Ｕ字型に成型すると共に、その先端近傍にＵ字型溝を刻設してい
2011036992.tif 000003
ている。更に前記掴持支柱と、前記支持支柱とを交差させ、その交差箇所を可動ビスで止め、接続形成し針金結束器具としている。
【０００８】
【請求項２】
掴持支柱内に、支持支柱を貫装できる孔穴部を刻設したものである請求項１記載の針金結束器具。
【０００９】
【請求項３】
2011036992.tif 000004
刻設したものである請求項１、２記載の針金結束器具である。
【００１０】
【請求項４】
2011036992.tif 000005
形状部分に刻設し、その方形状部分を固定ネジで固定して用いるという、要所カートリッジタイプにしたものである請求項１、２記載の針金結束器具である。
【発明の効果】
【００１１】  本発明は上記のとおり構成されているので、次に記載する効果を奏する。
１．接続したい２本の針金をＵ字型溝に入れ、片手で握手部Ａと握手部Ｂとを、軽く握るだけで、テコの原理が働いて、２本の針金は、Ｕ字型溝と握持溝とで、動かないように固定される。
２．上記のようにした上で、２本の針金の間に、堅い棒を差し込み、棒を手前から手元に動かす行為を数回繰り返すだけで、２本の針金は捩れて、堅く結束できる。
【００１２】３．２本の針金を押さえつけること、堅い棒で針金を捩ること、いずれもテコの原理を利用しているので、弱い力で、強い結束が容易にできる。
４．送電線が切断した緊急時においても、短時間内に、しかも容易に接続できる。
５．バラ線のような扱いづらい針金でも、容易に接続結束できる。
６．結束部は堅牢で、しかも美しい仕上がりの作業ができる。
【００１３】７．中央部にできるリング部の一方を切断し、もう一方を延ばすと、ほぼ単線と変わらない形状になる。
８．中央のリングに対して、左右反対方向に針金が絡むため、同一方向に巻つける結束よりも、より大きな強度を有するものにすることができる。
９．資源の無駄の解消に貢献することができると共に、途上国など十分な資材を確保することが難しい地域の人たちの一助になる可能性がある。
【００１４】１０．請求項２に関する実施例では、Ｕ字型溝に入っている針金を、支持支柱に
2011036992.tif 000006
握持できる。
１１．請求項３に関する実施例では、掴持支柱に大中小の３つのＵ字型溝を、支
2011036992.tif 000007
きるので便利である。
【００１５】
2011036992.tif 000008
プになっているので、針金の太さに合わせて要部カートリッジタイプの交換が、簡単にできて便利である。
【発明を実施するための形態】
【００１６】  本発明の実施例を図面を参照に説明する。
【実施例１】  図１、２は、請求項１に関するものである。図１に示すように、本実施例では掴持支柱を略Ｕ字型に成型すると共に、その先端近傍にＵ字型溝を刻設し、併せ
2011036992.tif 000009
前記掴持支柱と、前記支持支柱とを交差させ、その交差箇所を可動ビスで接続形成した針金結束器具である。図２は、請求項１記載実施例の使用状態説明斜視図である。本実施例では、掴持支柱に刻設してあるＵ字型溝に接続したい２本の針
2011036992.tif 000010
型溝でＵ字型溝に入れた先の２本の針金を動かないように支持することができる。その上で２本の針金の間に、ドライバーなどの堅い棒を差し込み、手前から手元に向けて棒を移動させると、２本の針金は捩れて結び付くことになる。この作業を数回繰り返すことにより、２本の針金は堅牢に結束できる。ただし、この時ドライバーなどの堅い棒を差し込んだ箇所に、Ｏ型のリングができるが、この結束作業終了後に、このリングを潰すことにより、ほぼ単線と変わりない形状にすることができる。また中央のリングを中心にして、左右反対方向に捩れて結束していくので、同一方向に巻き付けるよりも数倍の強度を有する。この結束方法では、針金を押さえ付ける点、針金を捩りつける点、のいずれでも、テコの原理が働くので、弱い力で堅牢に、かつ美的形状の結束作業を、しかも高度な技術を必要とすることなく、短時間内に、かつ容易に行うことができる。
【実施例２】
【００１７】  図３は、請求項２記載の実施例である。本実施例では、掴持支柱に孔穴部を刻設し、この孔穴部に支持支柱を交差状に貫装させて可動ビスで止めてある。従って本実施例では、いかにも針金結束器具らしいかっこよさがあると共に、結束す
2011036992.tif 000011
【実施例３】
【００１８】  図４は、請求項３記載の実施例である。本実施例では、掴持支柱にＵ字型溝大、
2011036992.tif 000012
束器具で大中小の太さの異なる針金の結束作業ができるので便利である。
【実施例４】
【００１９】  図５は、請求項４記載の実施例である。本実施例では、掴持支柱に刻設するＵ
2011036992.tif 000013
方形状部分を固定ネジで固定して用いるという、要所カートリッジタイプにした
2011036992.tif 000014
針金の太さに合わせて交換使用ができて便利である。
【図面の簡単な説明】
【００２０】
【図１】  請求項１記載実施例の斜視図である。
【図２】  請求項１記載実施例の使用状態説明斜視図である。
【図３】  請求項２記載実施例の斜視図である。
【図４】  請求項３記載実施例の部分拡大斜視図である。
【図５】  請求項４記載実施例の部分拡大斜視図である。
【産業上の利用可能性】
【００２１】  本発明になる針金結束器具は、これまでの器具や道具では不可能であった断線した架線針金の結束を、短時間で、簡単な作業で、しかも熟練した技術を必要とせずに、美しい仕上がりに、廉価な器具で、誰でもが容易に結束できる重宝な器具である。資源の乏しい途上国などでは、このような機能や条件を有する器具は、便利で責重な器具として、著しい経済効果を発揮するに違いない。
【符号の説明】
【００２２】（１）    は  掴持支柱
（２）    は  Ｕ字型溝
（３）    は  支持支柱
2011036992.tif 000015
（５）    は  握手部Ａ
（６）    は  握手部Ｂ
（７）    は  可動ビス
（８）    は  孔穴部
（９）    は  Ｕ字型溝大
（１０）  は  Ｕ字型溝中
（１１）  は  Ｕ字型溝小
2011036992.tif 000016
（１５）  は  要所カートリッジＵ字型溝
2011036992.tif 000017
（１７）  は  固定ネジ
（１８）  は  針金
（１９）  は  堅い棒
【図１】
2011036992.tif 000021
【図２】
2011036992.tif 000022
【図３】
2011036992.tif 000023
【図４】
2011036992.tif 000024
【図５】
2011036992.tif 000025